(57)【要約】      （修正有）【課題】収納付スツールを提供する。【解決手段】収納付スツールは、縦方向に設けられた側板と、折れ線を有する筒壁１と、端蓋２と、を含む。端蓋２は、筒壁１の上部に嵌め込まれ、側板には、端蓋２を支持するための縦方向補強リブを有する。筒壁１の外に布カバー４が被せられ、筒壁１の上部に支持輪３が取り付けられ、筒壁１の底部にボトム板が取り付けられている。本考案は、構造が安定であり、開閉しすい、といった利点を有し、製品の高級感と競争力とを向上させる。【選択図】図１
0003207001.tif 000002
【実用新案登録請求の範囲】
【請求項１】
縦方向に設けられた側板及び折れ線を有する筒壁と、端蓋と、を含む収納付スツールにおいて、
前記端蓋は、筒壁の上部に嵌め込まれ、
前記側板には、端蓋を支持するための縦方向補強リブを有することを特徴とする収納付スツール。
【請求項２】
前記側板には、縦方向補強リブの上部に連結される横方向補強リブを更に有し、
前記側板の底部には、内側に折り返されるヘムを有することを特徴とする請求項１に記載の収納付スツール。
【請求項３】
前記筒壁の外部に布カバーが被せられ、
前記筒壁の底部には、ボトム板が取り付けられていることを特徴とする請求項２に記載の収納付スツール。
【請求項４】
前記筒壁の上部には、外輪郭が筒壁の内輪郭に一致する支持輪が更に取り付けられていることを特徴とする請求項１に記載の収納付スツール。
【請求項５】
前記筒壁は、一体成形され、
前記折れ線は、隣接する側板の間に連結するＵ形溝であることを特徴とする請求項１に記載の収納付スツール。
【請求項６】
前記端蓋は、くり抜き構造であり、
端蓋には、布カバーが被せられることを特徴とする請求項１に記載の収納付スツール。
【請求項７】
前記端蓋は、ハンドルを有することを特徴とする請求項６に記載の収納付スツール。
【請求項８】
前記筒壁は、円柱筒壁又は楕円柱筒壁であり、
前記側板の横断面は、円周を構成する円弧であることを特徴とする請求項１に記載の収納付スツール。
【請求項９】
前記縦方向補強リブは、直角を作る２本の辺がそれぞれ側板と横方向補強リブとに固定して連結される直角三角形であることを特徴とする請求項２に記載の収納付スツール。
【請求項１０】
前記ボトム板は、つまむための孔を有することを特徴とする請求項３に記載の収納付スツール。
【考案の詳細な説明】
【技術分野】
【０００１】
本考案は、インテリア用品の分野に関し、具体的には折り畳み可能な収納付スツールに関する。
【背景技術】
【０００２】
収納付スツールは、普通のスツールの内部に収納空間を追加したものであり、スツールとしてのみならず、収納箱としても使用できる。通常、収納付スツールは、箱状に作製され、物流・販売経路での体積圧縮や、使用を必要とされないときにユーザが折り畳んで収納しやすいために、折り畳み構造が取られている。
【０００３】
検索によれば、特許文献１において、折り畳み不可の座面と、連結し合う複数の板より多角形に構成された折り畳み可能なボディからなり、展開したボディに座面が被せられ、縦方向に設けられた折れ線を隣接する板の連結箇所に有する、新型の折り畳みスツール構造が開示されている。折りたたむとき、前記折れ線に沿ってボディを立方体に折り畳み、立方体を座面に入れ、携帯しやすいようにする。
【０００４】
このような折り畳みスツールの場合、座面には通常比較的深い縁を有し、座面の縁により多角形の上部を囲んで制限させるが、比較的大きい組み合わせギャップが必要とされ、開けるときに両手で上げる必要があり、片手では開けにくい。また、座面を開けると、ボディの上部に制限がなくなり、多角形に収納品を入れるときに変形が起こりやすく、両手でボディの開口部を整形してから座面を戻すことができるようになる。このように、従来の折り畳みスツールは、収納機能を有するものの、使用時に、収納品の出し入れがそれほど便利ではない。また、折り畳みスツールは、全体として完全にボディ内部の垂直で均質な、板状の側壁で圧力と横せん断力を受け、ボディを厚く形成しても、一定時間使用すると変形が免れられず、造型の維持ができず、装飾効果が優れない。このように、構造が安定で開けやすい収納付スツールを設計して、製品の高級感と競争力とを向上させることは、解決が急がれる技術問題である。
【先行技術文献】
【特許文献】
【０００５】
【特許文献１】中国実用新案公告第２０３９８６９９６号明細書
【考案の概要】
【考案が解決しようとする課題】
【０００６】
本考案の目的は、従来技術に存在する不備を克服し、新型の収納付スツールを提供することである。
【課題を解決するための手段】
【０００７】
上述の技術問題を解決するために、本考案による収納付スツールは、縦方向に設けられた側板及び折れ線を有する筒壁と、端蓋と、を含み、前記端蓋が筒壁の上部に嵌め込まれ、端蓋を支持するための縦方向補強リブを前記側板に有する。
【０００８】
前記側板には、縦方向補強リブの上部に連結される横方向補強リブを更に有し、前記側板の底部には、内側に折り返されるヘムを有することが好ましい。
【０００９】
前記筒壁の外に布カバーが被せられ、前記筒壁の底部には、ボトム板が取り付けられていることが好ましい。
【００１０】
前記筒壁の上部には、外輪郭が筒壁の内輪郭に一致する支持輪が更に取り付けられていることが好ましい。よって、支持輪は、より緊密に端蓋と筒壁の間に係止される。
【００１１】
前記筒壁は、一体成形され、前記折れ線は、隣接する側板の間に連結するＵ形溝であることが好ましい。
【００１２】
前記端蓋は、くり抜き構造であり、端蓋には布カバーが被せられることが好ましい。
【００１３】
前記端蓋は、ハンドルを有することが好ましい。
【００１４】
前記筒壁は、円柱筒壁又は楕円柱筒壁であり、前記側板の横断面は、円周を構成する円弧であることが好ましい。
【００１５】
前記縦方向補強リブは、直角を作る２本の辺がそれぞれ側板と横方向補強リブに固定して連結される直角三角形であることが好ましい。
【００１６】
前記ボトム板は、つまむための孔を有することが好ましい。
【００１７】
使用時に、筒壁の外部に軟質の布で縫製された布カバーを被せる。布カバーにおいて、例えば樹木の皮や果物などの植物の外観など、様々な模様をカスタマイズする。端蓋に布の柔らかいカバーを包み、樹木の年輪や果物の断面を作り出す。よって、収納付スツールの視覚効果が真に迫り、製品の高級感を出す。
【考案の効果】
【００１８】
本考案は、補強リブと端蓋の嵌め込み構造とにより、収納付スツールの強度と外観上の全体性とが向上する。支持輪を使用することにより、端蓋を開けた後でも、筒壁に変形が生じない。筒壁は、側板が円弧の構造を採用するときに、折れ線と布カバーと組み合わせることにより、筒壁を折り畳んで収納しやすいのみならず、所望の形状に迅速に安定して形成することができる。
【００１９】
上述の本考案の解決しようとする技術問題、技術案を構成する技術的特徴及びこれらの技術案の技術的特徴による利点以外に、本考案の収納付スツールの解決しようとする他の技術問題、技術案に含まれるほかの技術的特徴及びこれらの技術的特徴による利点は、添付図面を参照しながら更に詳細に説明する。
【図面の簡単な説明】
【００２０】
【図１】本考案の実施例の構造模式図である。
【図２】図１の筒壁の展開図である。
【図３】図２の平面図である。
【図４】図２のＡ−Ａ断面図である。
【図５】図１の端蓋の構造模式図である。
【図６】ボトム板の構造模式図である。
【図７】図１の支持輪の構造模式図である。
【図８】本考案の実施例の使用効果図である。
【考案を実施するための形態】
【００２１】
本実施例の収納付スツールは、図１に示すように、筒壁１と、端蓋２と、を含む。筒壁１は、円筒形であり、端蓋２は、円形板である。筒壁１の上部の内側には、支持輪３が取り付けられており、筒壁１の外部には、カバー４が被せられている。カバー４は、軟質の布から縫製されており、例えば樹木の皮、果物など植物の外観を表面にカスタマイズできる。一方、端蓋２には、布の柔らかいカバーを包むこともでき、樹木の年輪や果物の断面を作り出すことにより、収納付スツールに優れた視覚効果を持たせ、製品の高級感を出す。端蓋２には、片手で開けやすくするためのハンドル５を更に有する。
【００２２】
図２、図３、図４に示すように、筒壁は、複数枚の側板１０１から折り目１０２により連結されてなる。側板１０１は、ＰＰ、ＰＥ、ＡＢＳなどの硬質材料から作製され、射出成形で一体成形される。折り目１０２においてＶ型溝又はＵ形溝を形成することにより、折り目１０２を側板１０１より薄くし、プラスチック自身の弾力で撓み、所望の円形筒壁を形成する。製造しやすくするために、筒壁を１／８の円弧の８枚の側板に等分し、更に４枚の側板ずつで一つの半円を構成することにより、一つの型で２回に分けて２つの半円を製造し、更に２つの半円をテープ又は他の連結手段で連結すればよい。
【００２３】
各側板１０１の横断面は、いずれも円周の一部である。８枚の側板１０１で筒壁を構成するとき、各側板１０１の横断面は、１／８の円弧である。側板１０１の内側には、筒壁の軸方向に沿って設けられた縦方向補強リブ１０３と、上部の近くにある横方向補強リブ１０４と、を含む補強リブを有する。縦方向補強リブ１０３と横方向補強リブ１０４とは、Ｔ形に連結される。横方向補強リブ１０４は、支持輪を確実に支持し、筒壁の上端までの距離を端蓋の厚さに等しくすることにより、端蓋が完全に筒壁に嵌め込むことができる。縦方向補強リブ１０３は、直角を作る２本の辺がそれぞれ側板１０１と横方向補強リブ１０４に固定して連結される直角三角形である。側板１０１の底部には、筒壁内のボトム板を支持するための、内側に折り返されるヘム１０５を更に有する。横方向補強リブ１０４は、側板に連結する辺を円弧形、もう一つの辺を直線にすることにより、型による製造とエジェクトが行われやすい。縦方向補強リブ１０３は、長さが側板の高さの１／２になることが好ましく、側板の内側の上半部の中心線に固定される。
【００２４】
図５に示すように、端蓋は、くり抜き構造であり、くもの巣形状であり、使用の強度が保証される前提で、最大限に材料を節約することができる。使用時に、布で出来た柔らかいカバーで包むことにより装飾の機能を果たす。ハンドルは、布で出来た柔らかいカバーに直接縫製される。
【００２５】
図６に示すように、ボトム板６は、筒壁の内径に等しく、つかむための孔を有する円形板であり、一定の弾力を持ち、筒壁に嵌め込みやすい。
【００２６】
図７に示すように、支持輪３は、外径が筒壁の内径に等しく、一定の幅を有し、内部から筒壁の上部を支持する。端蓋を開けるとき、筒の開口に対し円周方向と径方向とで支持でき、筒壁の形状を維持することができる。負荷時に、その表面により、端蓋からの圧力を筒壁に均一に伝達する。
【００２７】
図８は、製品の使用効果図を示し、以上の技術手段を採用し、特に各種の支持や端蓋の嵌め込み構造により、製品の外観効果がより真に迫る。
【００２８】
筒壁の上部の縁の内側にマジックテープ（登録商標）を一周設け、布カバーを円筒状の袋に作製し、上部の内側縁にもマジックテープを一周設けることにより、布カバーを筒壁に迅速にしっかり取り付けることができる。同一の筒体に異なる模様の布カバーを差し替えることにより、異なる装飾効果を実現し、異なるユーザの需要を満足する。筒体と布カバーは、いったん標準サイズが定義されると、射出とステッチの方式で量産でき、生産設備と工程のパラメータを変える必要がない。異なる模様の布を使用するだけで、異なるスタイルの製品を作製し、異なる市場に供給することができる。
【００２９】
当該収納付スツールの製造方法は、筒壁、端蓋、ボトム板、支持輪の射出製造、布カバーのステッチ、筒壁と布カバー上のマジックテープや他の固定具の設置を含む。上記部材を平らに包装すると、物流と販売に有利であり、製品の外観特性により、ウィンドウボックスやカラープリントのギフトボックスに包装できる。ユーザが製品を購入した後に、まず筒壁を展開し、それからボトム板と支持輪をそれぞれ筒壁内の底部と上部に係止させ、布カバーを筒壁と筒蓋に被せると、製品の組み立てが完成する。
【００３０】
以上、図面を参照しながら本考案の実施形態を詳しく説明したが、本考案は、記載した実施形態に限定されない。以上の側板と補強リブの構造とを用い、筒壁を楕円形や他の形状に作製してもよい。側板の間の連結は、粘着柔軟性材料やヒンジなどの構造を用いてもよい。
【００３１】
当業者が、本考案の原理と技術思想の範囲内において、これらの実施形態に対し、さまざまな変更、修正、差し替え、変形を加えても、いずれも本考案の保護範囲内に含まれる。
【符号の説明】
【００３２】
１：筒壁
２：端蓋
３：支持輪
４：カバー
５：ハンドル
６：ボトム板
１０１：側板
１０２：折れ目
１０３：縦方向補強リブ
１０４：横方向補強リブ
１０５：ヘム
【図１】
0003207001.tif 000003
【図２】
0003207001.tif 000004
【図３】
0003207001.tif 000005
【図４】
0003207001.tif 000006
【図５】
0003207001.tif 000007
【図６】
0003207001.tif 000008
【図７】
0003207001.tif 000009
【図８】
0003207001.tif 000010